(57)【要約】【課題】既設側溝の上部切断領域に側溝再生用構造体を設置することで新設同様に再生する際、高さ・姿勢調整と同時に差し筋及び安全装置としての機能を発揮させることで、工期の短縮化や工事費の低コスト化を図る環境に優しい技術を提供する。【解決手段】既設側溝の切断面４上に設置する枠本体６に構成された高さ・姿勢調整機構８は、切断面に向けて貫通し、第１ネジ部Ｓ１が構成された調整孔８ｈと、第１ネジ部に螺合する第２ネジ部Ｓ２が構成された調整ボルト８ｔとを備え、枠本体を切断面上に設置した状態で、枠本体の表面６ａ側から調整ボルトを操作し、その先端８ｂを枠本体の裏面６ｂから突没させることで、切断面に対する枠本体の高さ及び姿勢を調整すると同時に、調整ボルトの先端を枠本体の裏面から突出させた状態で、その突出した調整ボルトの部分は、差し筋としての機能、挟まれるのを防止する安全装置としての機能を発揮する。【選択図】図１
2014058833.tif 000002
【特許請求の範囲】
【請求項１】
既設側溝の上部領域を切断して除去した後、その切断面上に設置することで、当該側溝を新設同様に再生するための側溝再生用構造体であって、
既設側溝の切断面上に設置可能な形状を成す枠本体と、
枠本体に一体的に構成され、既設側溝の切断面に対する高さ及び姿勢を調整する高さ・姿勢調整機構とを具備し、
高さ・姿勢調整機構は、
既設側溝の切断面に向けて、枠本体の表面からその裏面に亘って貫通し、かつ、その内周に第１ネジ部が構成された調整孔と、
調整孔に挿入され、第１ネジ部に螺合する第２ネジ部が構成された調整ボルトとを備えており、
枠本体を既設側溝の切断面上に設置した状態において、枠本体の表面側から調整ボルトを操作し、当該調整ボルトの先端を枠本体の裏面から突没させることで、既設側溝の切断面に対する枠本体の高さ及び姿勢を調整すると同時に、
調整ボルトの先端を枠本体の裏面から突出させた状態において、その突出した調整ボルトの部分は、枠本体の裏面と既設側溝の切断面との間に注入される連結材料の差し筋としての機能を発揮すると共に、枠本体の裏面と既設側溝の切断面との間に挟まれるのを防止する安全装置としての機能を発揮することを特徴とする側溝再生用構造体。
【請求項２】
調整孔は、枠本体を既設側溝の切断面上に設置した状態において、その表面側から調整ボルトを直接操作するために、枠本体の表面側に、当該調整孔の一部を拡大させて構成された操作用拡大孔を有していることを特徴とする請求項１に記載の側溝再生用構造体。
【請求項３】
操作用拡大孔において、その枠本体の表面からの深さは、調整ボルトの先端を枠本体の裏面から突没させる際の突没量に基づいて設定されていることを特徴とする請求項２に記載の側溝再生用構造体。
【請求項４】
調整ボルトを操作し、その先端を枠本体の裏面と同一位置、或いは、裏面よりも内側に没入させた状態において、調整ボルトの基端から先端に亘る全長は、枠本体の表面から裏面に亘る調整孔の範囲内に設定され、これにより、枠本体の表面及び裏面が凹凸の無い平坦面となることで、複数の枠本体を、その表面と裏面とが重なるように積層させることを可能にする請求項１〜３のいずれかに記載の側溝再生用構造体。
【請求項５】
調整孔の第１ネジ部は、この調整孔に埋設された金属製ナットの雌ネジによって構成されていると共に、調整ボルトの第２ネジ部は、雌ネジに螺合可能な雄ネジによって構成されていることを特徴とする請求項１〜４のいずれかに記載の側溝再生用構造体。
【請求項６】
枠本体には、
その中央を一部切り欠いて、各種の蓋部材を設置可能な蓋部材設置面が形成されていると共に、
蓋部材設置面から枠本体の裏面に亘って貫通し、枠本体の裏面と既設側溝の切断面との間に連結材料を注入するための注入孔が形成されていることを特徴とする請求項１〜５のいずれかに記載の側溝再生用構造体。
【請求項７】
請求項１〜６のいずれかに記載の側溝再生用構造体を用いた側溝再生方法であって、
既設側溝の上部領域を切断して除去する工程と、
その除去後に残存した既設側溝の切断面上に、所定の枠本体を設置する枠本体設置工程と、
枠本体を既設側溝の切断面上に設置した状態において、枠本体の表面側から調整ボルトを操作し、当該調整ボルトの先端を枠本体の裏面から突没させることで、既設側溝の切断面に対する枠本体の高さ及び姿勢を調整して、枠本体の裏面と既設側溝の切断面との間に所定の連結材料を注入可能な注入空間を構成する工程と、
所定の型枠によって注入空間を覆うことで、当該注入空間の内部を密封する工程と、
各種の蓋部材を設置可能な蓋部材設置面から枠本体の裏面に亘って貫通した注入孔を介して、枠本体の裏面と既設側溝の切断面との間に構成された注入空間に、所定の連結材料を注入する工程と、
枠本体の蓋部材設置面上に所定の蓋部材を設置することで、注入孔が外部に露呈しないように、既設側溝の内部を隠蔽する工程とを有することを特徴とする側溝再生方法。
【請求項８】
枠本体設置工程には、吊り下げ部材によって枠本体を吊り下げて、所定の既設側溝の切断面上に搬送して設置するプロセスが含まれることを特徴とする請求項７に記載の側溝再生方法。
【発明の詳細な説明】
【技術分野】
【０００１】
本発明は、既設の現場打ちされたコンクリート製Ｕ字型側溝の上部領域を切断若しくはハツリ（例えば、削り取ったり、そぎ落とす作業）により除去し、そこに側溝再生用構造体を設置することで、当該側溝を新設同様に再生する技術に関する。
【背景技術】
【０００２】
従来、既設のコンクリート製Ｕ字型側溝において、その経年変化に伴う老朽化（劣化）が進んだ場合には、既設のＵ字型側溝全体を掘り出して除去した後、新たなＵ字型側溝ブロックに取り替えるといった改修工法が採用されている。しかし、かかる改修工法では、その工事期間中、バイパス路（迂回路）を設けて、その改修箇所における側溝機能を確保しなければならず、そのための手間や時間がかかるため、工事期間の短縮化や工事費用の低コスト化には一定の限界があった。
【０００３】
ところで、コンクリート製Ｕ字型側溝のうち、老朽化（劣化）が進み易い箇所について考察すると、それは、車両通行時の負荷並びに振動による影響、或いは、風雨に直接さらされることによる風化などの影響を直接受け易い箇所、即ち、当該Ｕ字型側溝の上部領域である。
【０００４】
そこで、現在、コンクリート製Ｕ字型側溝の改修方法として、既存の蓋部材（上蓋、側溝蓋）の撤去と共に、老朽化（劣化）した既設のＵ字型側溝の上部領域のみを切断若しくはハツリにより除去し、その除去後に残存した既設側溝の切断面（ハツリ面）上に、グレーチング蓋（例えば、鋼材を格子状に組んだ溝蓋）やコンクリート蓋などの各種の蓋部材を設置可能な側溝再生用構造体（特許文献１では、コンクリート蓋体と称する）を新設する技術が提案されている（特許文献１参照）。
【先行技術文献】
【特許文献】
【０００５】
【特許文献１】特開２００６−３２２１３８号公報
【発明の概要】
【発明が解決しようとする課題】
【０００６】
ところで、上記した特許文献１の技術では、バイパス路（迂回路）を不要とすることはできるものの、老朽化（劣化）した既設のＵ字型側溝の上部領域を切断若しくはハツリにより除去する際、その切断面（ハツリ面）の平滑度について、高い均し精度が要求されるため、そのための手間や時間がかかり、その分だけ、当該切断作業（ハツリ作業）に要するコストが上昇し、その結果、側溝再生工事全体のコストが上昇してしまう。このとき、当該切断作業（ハツリ作業）が長引けば、その分だけ、周辺環境に対する騒音・振動・粉塵などの影響も大きくなってしまう。
【０００７】
また、上記した特許文献１の技術では、側溝再生用構造体と、切断（ハツリ）が施されたＵ字型側溝の上部領域との一体化を図るために、差し筋（鉄筋）を別途用意しなければならないと共に、これを、コンクリートを打ち継ぐ箇所に予め施工する必要がある。このとき、かかる一体化処理に際し、挟まれ事故の防止を図るために、安全装置も別途用意しなければならないと共に、これを、側溝再生用構造体と、切断（ハツリ）が施されたＵ字型側溝の上部領域との間に予め配置する必要もある。そうなると、これら差し筋（鉄筋）及び安全装置の数量だけ部品点数、並びに、作業工数が増加するため、その分だけ、側溝再生用構造体その物のコスト、並びに、側溝再生作業全体のコストが上昇してしまう。
【０００８】
更に、上記した特許文献１の技術では、側溝再生用構造体の高さ及び姿勢（傾斜）を調整する場合、高さ・姿勢調整機構を、側溝再生用構造体と切断（ハツリ）が施されたＵ字型側溝の上部領域との間に構成された隙間に予め介在させた後、作業員がＵ字型側溝内に潜り込むような状態で高さ・姿勢調整機構を操作し、これにより、切断（ハツリ）が施されたＵ字型側溝の上部領域に対する側溝再生用構造体の高さ及び姿勢（傾斜）の調整が行われている。そうなると、かかる高さ・姿勢調整は、ある程度の熟練を要するだけでなく、作業員に対して常に窮屈な作業を強いることとなり、その結果、高さ・姿勢調整作業を短時間で正確に行うことができず、工事期間の長期化を招いてしまう。
【０００９】
本発明は、かかる問題を解決するためになされており、その目的は、切断（ハツリ）が施されたＵ字型側溝の上部領域に側溝再生用構造体を設置することで新設同様に再生する技術において、切断面の平滑度の程度を問わず、切断面に対する側溝再生用構造体の高さ・姿勢調整を誰でも簡単に短時間で正確にできると同時に、差し筋及び安全装置としての機能を発揮させることで、工事期間の短縮化や工事費用の低コスト化を図ることが可能な環境に優しい技術を提供することにある。
【課題を解決するための手段】
【００１０】
このような目的を達成するために、本発明は、既設側溝の上部領域を切断して除去した後、その切断面上に設置することで、当該側溝を新設同様に再生するための側溝再生用構造体であって、既設側溝の切断面上に設置可能な形状を成す枠本体と、枠本体に一体的に構成され、既設側溝の切断面に対する高さ及び姿勢を調整する高さ・姿勢調整機構とを具備し、高さ・姿勢調整機構は、既設側溝の切断面に向けて、枠本体の表面からその裏面に亘って貫通し、かつ、その内周に第１ネジ部が構成された調整孔と、調整孔に挿入され、第１ネジ部に螺合する第２ネジ部が構成された調整ボルトとを備えており、枠本体を既設側溝の切断面上に設置した状態において、枠本体の表面側から調整ボルトを操作し、当該調整ボルトの先端を枠本体の裏面から突没させることで、既設側溝の切断面に対する枠本体の高さ及び姿勢を調整すると同時に、調整ボルトの先端を枠本体の裏面から突出させた状態において、その突出した調整ボルトの部分は、枠本体の裏面と既設側溝の切断面との間に注入される連結材料の差し筋としての機能を発揮すると共に、枠本体の裏面と既設側溝の切断面との間に挟まれるのを防止する安全装置としての機能を発揮する。
本発明では、調整孔は、枠本体を既設側溝の切断面上に設置した状態において、その表面側から調整ボルトを直接操作するために、枠本体の表面側に、当該調整孔の一部を拡大させて構成された操作用拡大孔を有している。
本発明では、操作用拡大孔において、その枠本体の表面からの深さは、調整ボルトの先端を枠本体の裏面から突没させる際の突没量に基づいて設定されている。
本発明では、調整ボルトを操作し、その先端を枠本体の裏面と同一位置、或いは、裏面よりも内側に没入させた状態において、調整ボルトの基端から先端に亘る全長は、枠本体の表面から裏面に亘る調整孔の範囲内に設定され、これにより、枠本体の表面及び裏面が凹凸の無い平坦面となることで、複数の枠本体を、その表面と裏面とが重なるように積層させることを可能にする。
本発明では、調整孔の第１ネジ部は、この調整孔に埋設された金属製ナットの雌ネジによって構成されていると共に、調整ボルトの第２ネジ部は、雌ネジに螺合可能な雄ネジによって構成されている。
本発明において、枠本体には、その中央を一部切り欠いて、各種の蓋部材を設置可能な蓋部材設置面が形成されていると共に、蓋部材設置面から枠本体の裏面に亘って貫通し、枠本体の裏面と既設側溝の切断面との間に連結材料を注入するための注入孔が形成されている。
【００１１】
また、本発明は、上記した側溝再生用構造体を用いた側溝再生方法であって、既設側溝の上部領域を切断して除去する工程と、その除去後に残存した既設側溝の切断面上に、所定の枠本体を設置する枠本体設置工程と、枠本体を既設側溝の切断面上に設置した状態において、枠本体の表面側から調整ボルトを操作し、当該調整ボルトの先端を枠本体の裏面から突没させることで、既設側溝の切断面に対する枠本体の高さ及び姿勢を調整して、枠本体の裏面と既設側溝の切断面との間に所定の連結材料を注入可能な注入空間を構成する工程と、所定の型枠によって注入空間を覆うことで、当該注入空間の内部を密封する工程と、各種の蓋部材を設置可能な蓋部材設置面から枠本体の裏面に亘って貫通した注入孔を介して、枠本体の裏面と既設側溝の切断面との間に構成された注入空間に、所定の連結材料を注入する工程と、枠本体の蓋部材設置面上に所定の蓋部材を設置することで、注入孔が外部に露呈しないように、既設側溝の内部を隠蔽する工程とを有する。
本発明において、枠本体設置工程には、吊り下げ部材によって枠本体を吊り下げて、所定の既設側溝の切断面上に搬送して設置するプロセスが含まれる。
【発明の効果】
【００１２】
本発明によれば、切断（ハツリ）が施されたＵ字型側溝の上部領域に側溝再生用構造体を設置することで新設同様に再生する技術において、切断面の平滑度の程度を問わず、切断面に対する側溝再生用構造体の高さ・姿勢調整を誰でも簡単に短時間で正確にできると同時に、差し筋及び安全装置としての機能を発揮させることで、工事期間の短縮化や工事費用の低コスト化を図ることが可能な環境に優しい技術を実現することができる。
【図面の簡単な説明】
【００１３】
【図１】(ａ)は、本発明の一実施形態に係る側溝再生用構造体の構成を示す斜視図、(ｂ)は、高さ・姿勢調整機構の構成を示す断面図。
【図２】(ａ)は、図１(ａ)に示すＡ−Ａ線に沿う断面図、(ｂ)は、図１(ａ)に示すＢ−Ｂ線に沿う断面図、(ｃ)は、図１(ａ)に示すＣ−Ｃ線に沿う断面図。
【図３】本実施形態に係る側溝再生用構造体（即ち、高さ・姿勢調整機構が一体的に構成された枠本体）を積層させた状態を一部拡大して示す斜視図。
【図４】本発明の一実施形態に係る側溝再生方法において、切断除去工程から枠本体設置工程に至るプロセスを説明するための斜視図。
【図５】本発明の一実施形態に係る側溝再生方法において、高さ・姿勢調整工程、連結材料注入空間構成工程を説明するための斜視図。
【図６】本発明の一実施形態に係る側溝再生方法において、型枠で覆われた注入空間に連結材料を注入する工程を説明するための斜視図。
【図７】本発明の一実施形態に係る側溝再生方法において、蓋部材設置工程を説明するための斜視図。
【発明を実施するための形態】
【００１４】
以下、本発明の一実施形態に係る側溝再生用構造体及び側溝再生方法について、添付図面を参照して説明する。
本実施形態では、既設の現場打ちされたコンクリート製Ｕ字型側溝（以下、既設側溝という）の上部領域を切断若しくはハツリ（例えば、削り取ったり、そぎ落とす作業）により除去した後、その切断面（ハツリ面）上に設置することで、当該側溝を新設同様に再生するための側溝再生用構造体、及び、当該側溝再生用構造体を用いた側溝再生方法を想定する。
【００１５】
『側溝再生用構造体』
図１(ａ),(ｂ)及び図２(ａ)〜(ｃ)に示すように、本実施形態に係る側溝再生用構造体２は、既設側溝の切断面（ハツリ面）４上に設置可能な形状を成す枠本体６と、枠本体６に一体的に構成され、既設側溝の切断面（ハツリ面）４に対する高さ及び姿勢を調整する高さ・姿勢調整機構８とを具備している。
【００１６】
ここで「一体的」とは、高さ・姿勢調整機構８が枠本体６に組み込み可能であること、高さ・姿勢調整機構８が枠本体６と共に搬送可能であること、そして、その搬送先で当該枠本体６を既設側溝の切断面（ハツリ面）４上に設置した状態で即座に、当該切断面（ハツリ面）４に対する枠本体６の高さ及び姿勢の調整が可能であること、などの総称を意図したものである。従来では、別体として取り扱われていた高さ・姿勢調整機構を、本願発明において、これを枠本体６と共に取扱い可能とすることで、従来では出来なかったような仕様（例えば、後述する段落「００２８」,「００３６」参照）が実現可能となる。
【００１７】
＜枠本体６について＞
枠本体６の形状や大きさについては、例えば、既設側溝（上部領域）の形状や大きさ、或いは、側溝再生用構造体２の使用目的や使用環境に応じて設定されるため、ここでは特に限定しない。図面には一例として、全体が直方体形状を成すと共に、その中央６ｐ（刳り貫き部とも言う）が矩形に刳り貫かれた中空の枠形状を成す枠本体６が示されており、当該枠本体６の表面６ａと裏面６ｂとは互いに平行に構成されている。
【００１８】
かかる枠本体６には、その中央（刳り貫き部）６ｐを一部切り欠いて（例えば、突出させ、或いは、窪ませて）、グレーチング蓋やコンクリート蓋などの各種の蓋部材を設置可能な蓋部材設置面１０が形成されており、蓋部材設置面１０は、枠本体６の中央（刳り貫き部）６ｐにおいて互いに平行な位置関係で対向した部位を、それぞれ一部突出させて構成されている。なお、図１(ａ)には、互いに平行に対向した一方の蓋部材設置面１０のみが示されている。
【００１９】
具体的に説明すると、枠本体６の中央（刳り貫き部）６ｐには、その枠本体６の裏面６ｂ寄りの部位を他の部位よりも突出させた段差部６ｃが、当該枠本体６に沿って互いに平行な位置関係で対向して延在されており、これら段差部６ｃの上面（枠本体６の裏面６ｂとは反対側の面）に、それぞれ、上記した蓋部材設置面１０が構成されている。なお、このような段差部６ｃの他の形成方法としては、枠本体６の中央（刳り貫き部）６ｐにおいて、その枠本体６の表面６ａ寄りの部位（換言すると、その枠本体６の表面６ａから所定深さに亘る部位）を他の部位よりも窪ませることで、枠本体６の裏面６ｂ寄りの部位に段差部６ｃを残留させて形成するようにしてもよい。
【００２０】
この場合、それぞれの蓋部材設置面１０の位置（即ち、枠本体６の表面６ａからの深さ位置、換言すると、枠本体６の裏面６ｂからの高さ位置）は、当該蓋部材設置面１０上に設置される各種の蓋部材の厚さ（高さ）に応じて設定されるため、ここでは特に数値限定しない。また、それぞれの蓋部材設置面１０は、蓋部材を設置可能であれば、その形状について特に限定されるものではないが、図面には一例として、枠本体６の表面６ａ及び裏面６ｂと平行に延在する設置平面１０ａと、設置平面１０ａから下り勾配を成して連続した設置傾斜面１０ｂとを有した蓋部材設置面１０が示されている。
【００２１】
なお、図７には、このような蓋部材設置面１０（設置平面１０ａ、設置傾斜面１０ｂ）上に設置される蓋部材３２の一例が示されており、かかる蓋部材３２の下面（即ち、蓋部材設置面１０に対向する面）には、当該蓋部材３２を蓋部材設置面１０上に設置した状態において、設置平面１０ａに対向する第１平面３２ａと、設置傾斜面１０ｂに対向する第２斜面３２ｂとが設けられている。これによれば、第１平面３２ａが設置平面１０ａに当接（或いは、対面）すると共に、第２斜面３２ｂが設置傾斜面１０ｂに当接（或いは、対面）することで、蓋部材３２を、一定の姿勢で安定してズレ無く蓋部材設置面１０上に設置させることができる。なお、蓋部材設置面１０上に蓋部材３２を設置させた状態において、設置平面１０ａと第１平面３２ａ、及び、設置傾斜面１０ｂと第２斜面３２ｂを、互いに密着させるか否かについては、側溝再生用構造体２の使用目的や使用環境に応じて設定されるため、ここでは特に限定しない。
【００２２】
更に、枠本体６には、蓋部材設置面１０から枠本体６の裏面６ｂに亘って貫通し、枠本体６の裏面６ｂと既設側溝の切断面（ハツリ面）４との間に連結材料３０（図６参照）を注入するための注入孔１２が形成されている。ここで、連結材料としては、例えば、セメントと特殊混和材を重量比１対１の割合で混合したものに水を混ぜて作られた材料であって、かつ、ブリージングを発生しない無収縮モルタルを用いることが好ましい。
【００２３】
また、注入孔１２の大きさや形状、或いは、個数については、例えば、枠本体６（蓋部材設置面１０）の形状や大きさ、或いは、側溝再生用構造体２の使用目的や使用環境に応じて設定されるため、ここでは特に限定しない。図面では一例として、各蓋部材設置面１０を所定間隔で一部切り欠いた切欠部１０ｐを２箇所形成し、各切欠部１０ｐにおいて、当該蓋部材設置面１０から枠本体６の裏面６ｂに亘って貫通させた注入孔１２が１個ずつ形成されている。
【００２４】
＜高さ・姿勢調整機構８について＞
高さ・姿勢調整機構８は、既設側溝の切断面（ハツリ面）４に向けて、枠本体６の表面６ａからその裏面６ｂに亘って貫通し、かつ、その内周に第１ネジ部Ｓ１が構成された調整孔８ｈと、調整孔８ｈに挿入され、第１ネジ部Ｓ１に螺合する第２ネジ部Ｓ２が構成された調整ボルト８ｔとを備えている。
【００２５】
なお、調整孔８ｈの個数や配置位置については、例えば、枠本体６の形状や大きさ、或いは、側溝再生用構造体２の使用目的や使用環境に応じて設定されるため、ここでは特に限定しない。図面には一例として、枠本体６の四隅（具体的には、枠本体６の中央（刳り貫き部）６ｐを回避した部位）に１つずつ合計４個の調整孔８ｈが配置された枠本体６が示されている。
【００２６】
また、一例として、調整孔８ｈの第１ネジ部Ｓ１は、この調整孔８ｈに埋設された金属製ナット１４の雌ネジによって構成されていると共に、調整ボルト８ｔの第２ネジ部Ｓ２は、雌ネジに螺合可能な雄ネジによって構成されている。この場合、調整ボルト８ｔとしては、例えば、外周に雄ネジが形成された円柱形状の第２ネジ部Ｓ２と、当該調整ボルト８ｔ（第２ネジ部Ｓ２）の基端８ａ側に設けられた六角形状の頭部８ｆとを有する既存の六角ボルトを適用することができる。
【００２７】
なお、調整ボルト８ｔ（即ち、六角ボルト）の仕様、例えば、第２ネジ部Ｓ２のネジピッチや太さ（呼び径）、頭部８ｆの高さ（厚さ、幅）などについては、例えば、調整孔８ｈの種類や大きさ（孔径）、或いは、側溝再生用構造体２の使用目的や使用環境に応じて設定されるため、ここでは特に限定しない。
【００２８】
この場合、調整ボルト８ｔの他の仕様として、調整ボルト８ｔを操作し、その先端８ｂ（頭部８ｆが設けられた基端８ａ側とは反対側の部分）を枠本体６の裏面６ｂと同一位置（図１(ｂ)参照）、或いは、裏面６ｂよりも内側に没入させた状態において、調整ボルト８ｔの基端８ａから先端８ｂに亘る全長が、枠本体６の表面６ａから裏面６ｂに亘る調整孔８ｈの範囲内となるように設定してもよい。これにより、枠本体６の表面６ａ及び裏面６ｂが凹凸の無い平坦面となることで、高さ・姿勢調整機構８が組み込まれたままで（一体的に構成された状態で）、複数の枠本体６を、その表面６ａと裏面６ｂとが重なるように積層させることが可能になる（図３参照）。
【００２９】
また、調整孔８ｈは、枠本体６を既設側溝の切断面（ハツリ面）４上に設置した状態において、その表面６ａ側から調整ボルト８ｔを直接操作するために、枠本体６の表面６ａ側に、当該調整孔８ｈの一部を拡大させて構成された操作用拡大孔８ｓを有している。例えば、その全体が円筒形状を成す調整孔８ｈを想定すると、操作用拡大孔８ｓは、調整孔８ｈのうち、金属製ナット１４が埋設された位置よりも枠本体６の表面６ａ側の部分を、他の部分（即ち、金属製ナット１４を含めた枠本体６の裏面６ｂ側の部分）よりも拡大、即ち、拡径（円筒形状の孔の直径を拡大）させて構成されている。
【００３０】
この場合、操作用拡大孔８ｓにおいて、その枠本体６の表面６ａからの深さＨは、調整ボルト８ｔの先端８ｂを枠本体６の裏面６ｂから突没させる際の突没量に基づいて設定されている。この場合、操作用拡大孔８ｓの深さＨは、調整ボルト８ｔの頭部８ｆの高さＨ１を考慮して設定することが好ましい。例えば、調整ボルト８ｔの先端８ｂを枠本体６の裏面６ｂから突没させる量（即ち、高さ・姿勢の調整代）Ｈ２を０ｍｍ〜３２ｍｍの範囲とした場合、操作用拡大孔８ｓの深さＨは、当該高さ・姿勢の調整代Ｈ２（０ｍｍ〜３２ｍｍ）と調整ボルト８ｔの頭部８ｆの高さＨ１とを合計した値に設定すればよい。
【００３１】
このような側溝再生用構造体２では、枠本体６を既設側溝の切断面（ハツリ面）４上に設置した状態において、枠本体６の表面６ａ側から調整ボルト８ｔを操作し、当該調整ボルト８ｔの先端８ｂを枠本体６の裏面６ｂから突没させることで、既設側溝の切断面（ハツリ面）４に対する枠本体６の高さ及び姿勢を調整する。これと同時に、調整ボルト８ｔの先端８ｂを枠本体６の裏面６ｂから突出させた状態において、その突出した調整ボルト８ｔの部分は、枠本体６の裏面６ｂと既設側溝の切断面（ハツリ面）４との間に注入される連結材料の差し筋としての機能を発揮すると共に、枠本体６の裏面６ｂと既設側溝の切断面（ハツリ面）４との間に挟まれるのを防止する安全装置としての機能を発揮する。
【００３２】
以上、本実施形態の側溝再生用構造体２によれば、枠本体６を既設側溝の切断面（ハツリ面）４上に設置した後、その枠本体６の表面６ａ側から調整ボルト８ｔを操作するだけで、当該調整ボルト８ｔの先端８ｂを枠本体６の裏面６ｂから突没させることができるため、既設側溝の切断面（ハツリ面）４に対する枠本体６の高さ及び姿勢の調整を簡単に行うことができる。
【００３３】
ここで、四隅に調整孔８ｈが配置された枠本体６（図１参照）を想定すると、高さ・姿勢調整の際には、それぞれの調整孔８ｈに挿入された調整ボルト８ｔを個別に操作する必要があるが、いずれの操作も、枠本体６の表面６ａ側から行うことができるため、かかる高さ・姿勢調整作業は、その熟練を必要とせず、誰でも簡単に行うことができる。その結果、高さ・姿勢調整作業を短時間で正確に行うことが可能となり、その結果、工事期間の短縮化を図ることができる。
【００３４】
また、本実施形態の側溝再生用構造体２によれば、既設側溝の切断面（ハツリ面）４がどのような形状（例えば、凹凸面形状、傾斜面形状など）を成していても、枠本体６の裏面６ｂからの各調整ボルト８ｔの突没量Ｈ２を調整するだけで、当該枠本体６の高さ・姿勢調整を高精度に行うことができるため、切断面（ハツリ面）４の平滑度について、高い均し精度が要求されることはない。これにより、切断作業（ハツリ作業）を短時間に終わらせることができるため、側溝再生工事全体のコストの低減を図ることができると共に、切断作業（ハツリ作業）時間が短くなった分だけ、周辺環境に対する騒音・振動・粉塵などの影響を小さくすることができる。
【００３５】
更に、本実施形態の側溝再生用構造体２によれば、既設側溝の切断面（ハツリ面）４に対する枠本体６の高さ及び姿勢を調整した状態（即ち、調整ボルト８ｔの先端８ｂを枠本体６の裏面６ｂから突出させた状態）において、その突出した調整ボルト８ｔの部分を、枠本体６の裏面６ｂと既設側溝の切断面（ハツリ面）４との間に注入される連結材料の差し筋としての機能を発揮させることができると共に、枠本体６の裏面６ｂと既設側溝の切断面（ハツリ面）４との間に挟まれるのを防止する安全装置としての機能を発揮させることができる。これにより、差し筋（鉄筋）や安全装置を別途用意する必要がなくなり、その分だけ部品点数や作業工数を削減することができるため、側溝再生用構造体２その物のコストを大幅に低減させることが可能となり、その結果、側溝再生工事全体のコストの低減を図ることができる。
【００３６】
また、本実施形態の側溝再生用構造体２によれば、調整ボルト８ｔの基端８ａから先端８ｂに亘る全長を、枠本体６の表面６ａから裏面６ｂに亘る調整孔８ｈの範囲内となるように設定することで、高さ・姿勢調整機構８が組み込まれたままで（一体的に構成された状態で）、枠本体６の表面６ａ及び裏面６ｂを凹凸の無い平坦面とすることができる。これにより、複数の枠本体６を、その表面６ａと裏面６ｂとが重なるように積層させることができるため（図３参照）、広いスペースを確保できない狭小の側溝再生現場であっても、その限られたスペースに、大量の側溝再生用構造体を運び入れることが可能となる。例えば従来では、枠本体６と高さ・姿勢調整機構８とは、別々に集積管理されており、枠本体６用のスペースと、高さ・姿勢調整機構８用のスペースをそれぞれ確保する必要があるため、十分に広いスペースを確保できない狭小の側溝再生現場では、大量の側溝再生用構造体を運び入れることができなかったが、本実施形態の側溝再生用構造体２では、これを解消させることができるため、側溝再生作業効率を飛躍的に向上させることができる。
【００３７】
『側溝再生方法』
次に、上記した側溝再生用構造体２を用いた側溝再生方法について、添付図面を参照して説明する。
本実施形態の側溝再生方法では、切断（ハツリ）が施されたＵ字型側溝の上部領域に、上記した側溝再生用構造体２を設置することで、当該側溝を新設同様に再生する場合を想定し、かかる側溝再生に要する各工程について、その工程順に沿って説明する。
【００３８】
＜切断除去工程＞
図４に示すように、老朽化（劣化）した既設側溝１６の上部領域を、例えばカッター等の切断装置（図示しない）を用いて、切断若しくはハツリ（例えば、削り取ったり、そぎ落とす作業）により除去する。この場合、既設側溝１６の上部領域に残留した切断面（ハツリ面）４の平滑度について、高い均し精度が要求されることはないので、切断作業（ハツリ作業）を短時間で終わらせることができ、周辺環境に対する騒音・振動・粉塵などの影響を小さくすることができる。
【００３９】
＜枠本体設置工程＞
その除去後に残存した既設側溝の切断面（ハツリ面）４上に、既存の吊り下げ装置１８を用いて、所定の枠本体６を設置する。この場合、枠本体６の注入孔１２（後述する工程で連結材料を注入する孔）を介して、当該枠本体６に吊り下げ装置１８を係止させた後、吊り下げ装置１８と共に枠本体６を吊り上げた状態（換言すると、吊り下げ装置１８によって枠本体６を吊り下げた状態）で搬送して、所定の切断面（ハツリ面）４上に枠本体６を設置する。
【００４０】
吊り下げ装置１８は、枠本体６の中央（刳り貫き部）６ｐにおいて互いに平行な位置関係で対向した一対の注入孔１２に挿入され、かつ、互いに平行に対向配置された一対の連結シャフト２０と、連結シャフト２０相互の幅間隔を調整する幅間隔調整機構２２とを備えている。なお、各連結シャフト２０の長さや太さ、形状については、一対の注入孔１２に挿入可能であれば特に限定されることはない。図面には一例として、円柱形状を成す連結シャフト２０が示されている。
【００４１】
一対の連結シャフト２０の下端側（即ち、挿入先端側）には、それぞれ、当該各連結シャフト２０を横断する方向に貫通した貫通孔２０ｈと、この貫通孔２０ｈに差し込み可能で、かつ、注入孔１２の直径を越えた長さの抜け止め部材２４とが構成されている。この場合、当該各連結シャフト２０を各注入孔１２に挿入し、その挿入先端側を枠本体６の裏面６ｂから一部突出させた状態で、各貫通孔２０ｈに各抜け止め部材２４を差し込むことで、各連結シャフト２０は、各注入孔１２から抜け止めされた状態となり、この状態において、吊り下げ装置１８と共に枠本体６を吊り上げること（換言すると、吊り下げ装置１８によって枠本体６を吊り下げること）が可能となる。
【００４２】
幅間隔調整機構２２には、いわゆるターンバックル機構が適用されており、その両側に逆ネジ（一方が右ネジ、他方が左ネジ：いずれも図示しない）が対向して構成された調整本体２２ｍと、右ネジに螺合した状態で一方の連結シャフト２０に固定された一方の軸部材２２ａと、左ネジに螺合した状態で他方の連結シャフト２０に固定された他方の軸部材２２ｂとが設けられている。この場合、調整本体２２ｍを回転させることで、双方の軸部材２２ａ,２２ｂを同時に、当該調整本体２２ｍから突出させたり、或いは、没入させたりすることができる。
【００４３】
この場合、調整本体２２ｍからの各軸部材２２ａ,２２ｂの突出量、或いは、没入量に応じて、一対の連結シャフト２０相互の幅間隔が調整され、これにより、一対の注入孔１２相互の幅間隔に一致させて、一対の連結シャフト２０相互の幅間隔を調整することができる。このとき、各軸部材２２ａ,２２ｂに螺合されている固定ナット２６を調整本体２２ｍに向けて移動させ、当該調整本体２２ｍの両側に当接させることで、一対の連結シャフト２０相互の幅間隔が設定（固定）される。
【００４４】
なお、一対の連結シャフト２０の上端には、それぞれ、吊り下げワイヤ（図示しない）が掛け渡されるリング状の係止部２８が設けられており、当該各係止部２８にワイヤを掛け渡した状態で、当該ワイヤを例えばクレーンのフック（図示しない）に掛けることで、吊り下げ装置１８と共に枠本体６を吊り上げた状態（換言すると、吊り下げ装置１８によって枠本体６を吊り下げた状態）で搬送して、既設側溝１６の切断面（ハツリ面）４上に枠本体６を設置することができる（図５参照）。
【００４５】
＜高さ・姿勢調整工程、連結材料注入空間構成工程＞
図５に示すように、枠本体６を既設側溝１６の切断面（ハツリ面）４上に設置した状態において、枠本体６の表面６ａ側から調整ボルト８ｔを操作し、当該調整ボルト８ｔの先端８ｂ（図１(ｂ)）を枠本体６の裏面６ｂから突没させることで、既設側溝１６の切断面（ハツリ面）４に対する枠本体６の高さ及び姿勢を調整して、枠本体６の裏面６ｂと既設側溝１６の切断面（ハツリ面）４との間に所定の連結材料を注入可能な注入空間Ｇを構成する。なお、注入空間Ｇの広さ（高さ）については、例えば、既設側溝１６の切断面（ハツリ面）４の状態（平坦、傾斜）に応じて設定されるため、ここでは特に限定しない。
【００４６】
＜型枠で覆われた注入空間に連結材料を注入する工程＞
図６に示すように、吊り下げ装置１８を枠本体６から取り外した後、所定の型枠（図示しない）によって注入空間Ｇを覆うことで、当該注入空間Ｇの内部を密封し、その状態において、各種の蓋部材３２（図７参照）を設置可能な蓋部材設置面１０から枠本体６の裏面６ｂに亘って貫通した注入孔１２を介して、枠本体６の裏面６ｂと既設側溝１６の切断面（ハツリ面）４との間に構成された注入空間Ｇに、所定の連結材料（無収縮モルタル）３０を注入する。
【００４７】
このとき、高さ・姿勢調整後の各調整孔８ｈにも、同様の連結材料（無収縮モルタル）３０を注入することが好ましい。これにより、各枠本体６の表面６ａを平坦面とすることができるため、見映えが良くなると共に、通行の障害となり得る凹凸の存在を完全に無くすることができる。なお、型枠によって注入空間Ｇを覆って内部を密封する工法については、既存のものが多数知られており、これを利用すれば足りるため、型枠の構成について特に図示は省略する。
【００４８】
また、注入空間Ｇへの連結材料（無収縮モルタル）３０の注入では、注入孔１２内に、当該連結材料（無収縮モルタル）３０が少し盛り上がってきたことを確認した段階で、その注入作業を終了すればよい。かかる段階で注入作業を終了することで、連結材料（無収縮モルタル）３０を注入空間Ｇに隙間無く充填させることができる。
【００４９】
＜蓋部材設置工程＞
図７に示すように、枠本体６の蓋部材設置面１０上に所定の蓋部材３２を設置することで、上記した注入孔１２（図６参照）が外部に露呈しないように、既設側溝１６の内部を隠蔽する。この場合、蓋部材３２を蓋部材設置面１０上に設置した状態において、上記した第１平面３２ａが設置平面１０ａに当接すると共に、上記した第２斜面３２ｂが設置傾斜面１０ｂに当接することで、蓋部材３２を、一定の姿勢で安定してズレ無く蓋部材設置面１０上に設置させることができる。
【００５０】
以上、本実施形態において、上記した効果を奏する側溝再生用構造体２を用いた側溝再生方法によれば、切断（ハツリ）が施されたＵ字型側溝１６の上部領域に側溝再生用構造体２を設置することで新設同様に再生する場合において、切断面（ハツリ面）４の平滑度の程度を問わず、当該切断面（ハツリ面）４に対する側溝再生用構造体２の高さ・姿勢調整を誰でも簡単に短時間で正確にできると同時に、高さ・姿勢調整をした後に枠本体６の裏面６ｂから突出した調整ボルト８ｔの部分を、差し筋及び安全装置としての機能させることができる。
【００５１】
この場合、工事期間の短縮化や工事費用の低コスト化を図ることができるだけでなく、特に、切断面（ハツリ面）４の平滑度が要求されないことで、切断作業（ハツリ作業）に要する時間を短くすることが可能となり、これにより、周辺環境に対する騒音・振動・粉塵などの影響を小さくすることが可能な環境に優しい側溝再生方法を実現することができる。
【００５２】
なお、上記した実施形態では、吊り下げ装置１８の一対の連結シャフト２０を、各注入孔１２に挿入することで、枠本体６を吊り上げて搬送する場合を想定して説明したが、これに代えて、例えば、枠本体６の対角線上の両隅に雌ネジ（図示しない）を予め構成すると共に、当該各雌ネジにリング状の係止部（図示しない）を螺合し、これにワイヤを掛け渡した後、当該ワイヤを例えばクレーンのフック（図示しない）に掛けることで、枠本体６を吊り上げて搬送するようにしてもよい。
【符号の説明】
【００５３】
２  側溝再生用構造体
４  切断面（ハツリ面）
６  枠本体
６ａ  枠本体の表面
６ｂ  枠本体の裏面
８  高さ・姿勢調整機構
８ｈ  調整孔
８ｔ  調整ボルト
８ａ  調整ボルトの基端
８ｂ  調整ボルトの先端
１０  蓋部材設置面
１２  連結材料（無収縮モルタル）を注入するための注入孔
【図１】
2014058833.tif 000003
【図２】
2014058833.tif 000004
【図３】
2014058833.tif 000005
【図４】
2014058833.tif 000006
【図５】
2014058833.tif 000007
【図６】
2014058833.tif 000008
【図７】
2014058833.tif 000009